(57)【要約】【課題】  例えば、金型のポケット部に入子を嵌め合わせて、入子周囲の表面の最終的な仕上げ加工を行うようなときに、傾斜ロッドの傾斜角度が任意であっても簡単かつ正確に嵌め合わせることができ、また組付け時の傾斜ロッドの長さの調整が正確に行えるようにする。【解決手段】  入子４に連結される傾斜ロッド５を挿通させることのできる挿通孔１１ｈと球面凹部１１ｄを備えたカラー部材１１と、このカラー部材１１の球面凹部１１ｄに球面嵌合し、傾斜ロッド５を挿通させることのできる挿通孔１２ｈを備えた球面部材１２と、この球面部材１２の挿通孔１２ｈを通して外部に露出する傾斜ロッド５のネジ部５ｎに螺合するナット部材１３を設け、ナット部材１３に締め付けによって入子４をポケット部３ｐに引き寄せるようにする。【選択図】      図２
2011025549.tif 000002
【特許請求の範囲】
【請求項１】
傾斜ロッドに連結される入子を、金型に形成されるポケット部に合せる際の入子合わせ治具であって、前記傾斜ロッドを挿通させることのできる挿通孔を有し且つこの挿通孔の開口部に球面凹部を備えたカラー部材と、このカラー部材の球面凹部に球面嵌合し且つ前記傾斜ロッドを挿通させることのできる挿通孔を備えた球面部材と、この球面部材の挿通孔を挿通して外部に露出する傾斜ロッドのネジ部に螺合するナット部材を備えたことを特徴とする金型の入子合わせ治具。
【請求項２】
前記球面部材とナット部材との間に長さ調整用のスペーサを介在させることで、傾斜ロッドの長さを適切に調整できるようにしたことを特徴とする請求項１に記載の金型の入子合わせ治具。
【発明の詳細な説明】
【技術分野】
【０００１】
本発明は、例えばアンダカット部を有する樹脂成形品を金型で製造する際に使用される入子と金型のポケット部を正確に合せるよう調整するための入子合わせ治具に関する。
【背景技術】
【０００２】
従来、例えば自動車のバンパー等のようにアンダーカット部を有する樹脂成形品を成形するような金型にあっては、アンダーカット部における成形品の取り出しを可能にするため、入子を設けることがある。この際、アンダーカット部の形状等によっては、入子を押し出す方向を型開き方向に対して傾斜させることがあり、このため、入子を押し出すため入子に連結される押出しロッドを型開き方向に対して傾斜させるとともに、この傾斜ロッドの一端側を型開き方向に移動自在な可動プレートにスライド機構を介してスライド自在に連結し、可動プレートが型開き方向に移動すると、傾斜ロッドの連結部が、スライド機構を介して例えば可動プレートの面方向に沿った方向にスライドできるようにされることがある。
このような傾斜ロッドの入子を使用した金型構造として、例えば図４に示すように、入子５３にネジ等で連結される傾斜ロッド５４の他端側をスライド機構５８を介して可動プレート５７に接続するような金型５１、５２構造が知られている。（例えば、特許文献１、２参照。）
【先行技術文献】
【特許文献】
【０００３】
【特許文献１】特開２００５−２１２３０５号公報
【特許文献２】特開２００３−１６８２号公報
【発明の概要】
【発明が解決しようとする課題】
【０００４】
ところで、このような傾斜ロッド５４に連結される入子５３を金型５１に掘り込んだポケット部５１ｐに嵌め合わせて、例えば入子５３周辺の表面を最終仕上げ加工等して入子５３と金型５１の境界部の段差部をなくすような際、図５に示すように、金型５１の裏面部に傾斜角度に直交するようなザグリ面５１ｚを形成し、このザグリ面５１ｚに対して傾斜ロッド５４のネジ部５４ｎに螺合するナット６０等で締付けることで、入子５３とポケット部５１ｐとを密着させるようにしているが、ポケット部５１ｐの加工は、入子５３を嵌め込む金型５１の表面側で、ザグリ部５１ｚの加工は金型５１の裏面側であるため、直交度に誤差が生じやすく、傾斜ロッド５４の軸方向に真っ直ぐ引き寄せることが困難で、入子５３の正確な嵌め合わせが難しかった。
【０００５】
また、図４に示すような金型５１に入子５３を組み付ける際、単に入子５１をポケット部５１ｐに嵌め合わせただけでは、傾斜ロッド５４の長さが正規の長さでなくてもそれなりに組付ができるため、例えば、傾斜ロッド５４の長さが正規の長さより若干長いようなとき、キャビティ内に溶融樹脂が充填された際に、樹脂圧によって入子５３が動き易くなり（この場合、傾斜ロッド５４は撓んで誤差を吸収する）、入子５３と金型５１の境界部に対応する成形品部分に、いわゆる入子ラインと呼ばれるラインが発生するという問題もあった。
【０００６】
そこで本発明は、例えば、金型５１のポケット部５１ｐに入子５３を嵌め合わせて、入子５３周辺の最終的な仕上げ加工を行ったり、入子５３の嵌め合い状態を確認するようなときに、傾斜ロッド５４の傾斜角度が異なる場合でもそれに合せてザグリ面５１ｚを加工しなくても密着状に嵌め合わせることができ、また金型５１に入子５３を組付ける際の傾斜ロッド５４の長さの調整が正確に行えるようにすることを目的とする。
【課題を解決するための手段】
【０００７】
上記目的を達成するため本発明は、傾斜ロッドに連結される入子を、金型に形成されるポケット部に合せる際の入子合わせ治具として、前記傾斜ロッドを挿通させることのできる挿通孔を有し且つこの挿通孔の開口部に球面凹部を備えたカラー部材と、このカラー部材の球面凹部に球面嵌合し且つ前記傾斜ロッドを挿通させることのできる挿通孔を備えた球面部材と、この球面部材の挿通孔を挿通して外部に露出する傾斜ロッドのネジ部に螺合するナット部材を設けるようにした。
【０００８】
そして、入子に傾斜ロッドを連結して、傾斜ロッドの他端側を金型の裏面側に突出させ、これにカラー部材の挿通孔と球面部材の挿通孔を通すとともに、その外側のネジ部にナット部材を螺合させ、これを締付けることによって、傾斜角度の如何に拘らず、カラー部材の球面凹部と球面部材の球面嵌合によって自動的に調芯作用が発揮され、傾斜ロッドによる入子の引き込みが適切となって入子とポケット部とを密着させることができる。
そして、このような状態で、例えば入子周辺の金型表面の仕上げ加工を行えば、精密に加工することができる。
【０００９】
また本発明では、前記球面部材とナット部材との間に長さ調整用のスペーサを介在させることで、傾斜ロッドの長さを適切に調整できるようにした。
【００１０】
すなわち、金型のポケット部に入子を嵌め合わせ、入子に結合される傾斜ロッドの他端側を金型の裏面側に突出させ、この突出端部を可動プレートなどに結合するような入子の組み付けの際、ナット部材と球面部材との間に、金型裏面と可動プレート間の距離に応じた適切な長さのスペーサを介在させ、ナット部材を締付けることによって、傾斜ロッドの長さを最適にすることができ、キャビティ内に溶融樹脂を充填しても樹脂圧で入子が動くような不具合を防止できる。
【発明の効果】
【００１１】
傾斜ロッドに連結される入子を金型に形成されるポケット部に合せる際の入子合わせ治具として、球面凹部を備えたカラー部材と、球面凹部に球面嵌合する球面部材と、これらを締付けるナット部材を設けることで、傾斜角度の如何に拘らず、自動的に調芯作用が発揮されて傾斜ロッドによる入子の引き込みが適切となり、入子とポケット部とを密着させることができる。
また金型に入子を組み付ける際、球面部材とナット部材との間に長さ調整用のスペーサを介在させることで、傾斜ロッドの長さを適切に調整することができ、成形品に入子ライン等が発生するのを防止することができる。
【図面の簡単な説明】
【００１２】
【図１】本発明に係る金型の入子合わせ治具で長さ調整した傾斜ロッドが使用される金型構造の説明図である。
【図２】本発明に係る金型の入子合わせ治具の説明図である。
【図３】本発明に係る入子合わせ治具を使用して傾斜ロッドの長さを調整する場合の説明図である。
【図４】従来の傾斜ロッドを使用した金型の一例を示す説明図である。
【図５】従来の入子合わせ方法の一例を示す説明図である。
【発明を実施するための形態】
【００１３】
本発明の実施の形態について添付した図面に基づき説明する。
本発明に係る金型の入子合わせ治具は、例えば、金型のポケット部に入子を嵌め合わせて、入子周辺の最終的な仕上げ加工を行うようなときに、傾斜ロッドの傾斜角度が異なる場合でもそれに合せてザグリ面を加工しなくても入子をポケット部内に密着状に嵌め合わせることができ、また、金型に入子を組み付ける組付け時の傾斜ロッドの長さの調整を正確に行うことができるようにされている。
【００１４】
すなわち、図１は本発明に係る金型の入子合わせ治具で長さ調整した傾斜ロッドが使用される金型構造の説明図であり、この金型１は、固定型本体２に対して可動型本体３が型締め、型開き自在にされるとともに、可動型本体３には、入子４の基端側の一部を収容することのできるポケット部３ｐが形成されており、このポケット部３ｐには、入子４に連結するための傾斜ロッド５を挿通せしめるためのロッド挿通孔６が開口している。なお、この入子４は成形品のアンダーカット部ｕを含んで形成されるとともに、ロッド挿通孔６の径は傾斜ロッド５の径より若干大きめにされている。
そして、このロッド挿通孔６の他端側は、可動型本体３の裏面側に開口している。
【００１５】
また、可動型本体３裏面側のロッド挿通孔６部分には、傾斜ロッド５の中間部を軸受けする中間軸受け部７が設けられ、この中間軸受け部７は、外周面が球状の内輪７ｉと、この内輪７ｉの外周面を球面状の内周面で軸受けする外輪７ｕを備え、前記傾斜ロッド５は、内輪７ｉを挿通するとともに、この内輪７ｉを挿通する傾斜ロッド５の片側端部は、可動プレート８のスライド機構部１０に連結されている。なお、この可動プレート８は可動型本体３の型開き方向に移動自在となり、スライド機構部１０は、傾斜ロッド５の連結端部を型開き方向と直交方向にスライド自在にされている。
【００１６】
そして、入子４を可動型本体３のポケット部３ｐ内に引き込んだ後、固定型本体２と可動型本体３を型締めしてキャビティ内に溶融樹脂を充填し、成形が完了すると、固定型本体２と可動型本体３とを型開きし、可動プレート８を前進させれば、アンダーカット部ｕの干渉を無くして成形品を取り出すことができる。
【００１７】
ところで、このような金型１構造において、例えば、入子４とポケット部３ｐの嵌め合わせの最終仕上げ加工や最終確認などにおいて、入子４とポケット部３ｐを嵌め合わせる際は、図２に示すような入子合わせ治具１０を使用するようにしている。
【００１８】
この入子合わせ治具１０は、傾斜ロッド５を挿通させることができる挿通孔１１ｈと、この挿通孔１１ｈの開口部に形成される球面凹部１１ｄを備えたカラー部材１１と、このカラー部材１１の球面凹部１１ｄに球面嵌合し、且つ傾斜ロッド５を挿通させることのできる挿通孔１２ｈを備えた球面部材１２と、球面部材１２の挿通孔１２ｈを挿通して外部に露出する傾斜ロッド５のネジ部５ｎに螺合するナット部材１３を備えており、このナット部材１３を締付けることにより、球面部材１２とカラー部材１１の球面嵌合の作用により、傾斜ロッド５や入子４に対する調芯機能が発揮され、入子４がポケット部３ｐに密着して引き込まれるようにされている。
【００１９】
そしてこの球面部材１２とカラー部材１１との調芯機能は、傾斜ロッド５の傾斜角の如何に拘らず発揮されるため、従来のような可動型本体３裏面の精密なザグリ加工が不要となる。
【００２０】
そして、このようにして入子４とポケット部３ｐとを密着させて、例えば入子４周辺の仕上げ加工を行えば、入子４と可動型本体３との境界部等の段差を無くすことができ、成形品の成形面を綺麗にすることができる。
【００２１】
ところで、上記のような入子合わせ治具１０を使用して傾斜ロッド５の長さを適切に調整することができる。それについて図３に基づき説明する。
【００２２】
傾斜ロッド５の長さを調整する際、従来では、入子４をポケット部３ｐに嵌め合わせ、単に傾斜ロッド５を手前に引き寄せるだけで傾斜ロッド５の長さを調整していたため、傾斜ロッド５の軸方向に沿って真っ直ぐ引っ張ることができなければ、入子合わせが不十分となって傾斜ロッド５の長さが適切に調整されないことがあることについては、前記の通りである。そして、この場合、特に傾斜ロッド５が長く組み付けられると、樹脂圧によって入子４が動き易くなり、この場合は、傾斜ロッド５が撓んで誤差を吸収することについても前記の通りである。
【００２３】
そこで本発明では、傾斜ロッド５の長さを調整する際、図３に示すように、球面部材１２とナット部材１３との間に適切な長さのスペーサ部材１４を介在させ、ナット部材１３を締付けるようにした。なお、ここでスペーサ部材１４の長さとしては、球面部材１２と可動プレート８間の傾斜方向に沿った距離であり、計算上求められるものである。
【００２４】
そして、このようにスペーサ部材１４を介在させて傾斜ロッド５の長さを適切に調整した後、入子合わせ治具１０やスペーサ部材１４を取り外して組み付ける。
【００２５】
以上のような要領により、極めて簡単な構成で、入子４とポケット部３ｐとを密着状に嵌め合わせることができ、また傾斜ロッド５の長さを適切に調整できるため、成形品の表面に入子ライン等が発生するのを防止することができる。
【産業上の利用可能性】
【００２６】
傾斜ロッドの先端に入子が連結される樹脂成形金型において、入子とポケット部の嵌め合わせが簡単に且つ精密に行われるため、例えば自動車製造分野等における広い普及が期待される。
【符号の説明】
【００２７】
１…金型、３…可動型本体、３ｐ…ポケット部、４…入子、５…傾斜ロッド、５ｎ…ネジ部、１０…入子合わせ治具、１１…カラー部材、１１ｈ…挿通孔、１１ｄ…球面凹部、１２…球面部材、１２ｈ…挿通孔、１３…ナット部材、１４…スペーサ部材。
【図１】
2011025549.tif 000003
【図２】
2011025549.tif 000004
【図３】
2011025549.tif 000005
【図４】
2011025549.tif 000006
【図５】
2011025549.tif 000007